(57)【要約】  電池１は電池容器２の開口を封止する蓋体４の外側に少なくとも一部が配置された外部端子１４，１５と、外部端子１４，１５と蓋体４の間に介在する上パッキン１６を備える。上パッキン１６は外部端子１４，１５を保持する端子保持凹部１６ｂと、端子保持凹部１６ｂを形成する筒状部１６ｄから互いに間隔ｔをあけて隣接するように延びる舌状部１６ｅを備える。蓋体４から突出する突起４ｃが舌状片１６ｅの挿通孔１６ｆに挿通された後、かしめ接合される。
2012105491.tif 000002
【特許請求の範囲】
【請求項１】
外装体と、外装体から外部に露出する露出面を有する外部端子と、外装体の内部に配置され、外部端子に接続される集電体と、外装体の内部に配置され、集電体に接続される電極体と、を備えた蓄電素子であって、
前記外装体は、外方に向かって突出する複数の突起を備え、
前記外部端子と前記外装体の間に介在する本体と、本体からそれぞれ延び、前記外装体の各突起が挿通する挿通孔を形成された複数の突出部とを有するパッキンを、さらに備え、
前記各突起は、前記各突出部の挿通孔にそれぞれ挿通された後、前記外装体に対してかしめ接合されていることを特徴とする蓄電素子。
【請求項２】
前記パッキンの突出部は、間隔を空けて隣接して配置される複数で構成され、
前記外装体の突起は、前記各突出部に配置可能な複数で構成したことを特徴とする請求項１に記載の蓄電素子。
【請求項３】
前記パッキンの突出部は、本体を挟んで少なくとも１つが反対側に配置される複数で構成され、
前記外装体の突起は、前記各突出部に配置可能な複数で構成したことを特徴とする請求項１に記載の蓄電素子。
【請求項４】
前記外装体の突起は、外装体に別部材を一体化したものであることを特徴とする請求項１から３のいずれか１項に記載の蓄電素子。
【請求項５】
前記外装体の突起は、外装体の一部を突出させてなる構成であることを特徴とする請求項１から３のいずれか１項に記載の蓄電素子。
【請求項６】
前記外部端子は、正極端子と負極端子とからなり、
前記外装体の突起は、正極側と負極側とで形状を相違させ、
前記正極側と前記負極側とにそれぞれ配置されるパッキンの突出部に形成した挿通孔は、対応する各極性の突起のみが挿通可能な形状であることを特徴とする請求項１から５のいずれか１項に記載の蓄電素子。
【請求項７】
前記外部端子は、正極端子と負極端子とからなり、
前記外装体の突起は、正極側と負極側とで位置をずらせたことを特徴とする請求項１から５のいずれか１項に記載の蓄電素子。
【請求項８】
外装体と、外装体から外部に露出する露出面を有する外部端子と、外装体の内部に配置され、外部端子に接続される集電体と、外装体の内部に配置され、集電体に接続される電極体と、を備えた蓄電素子であって、
前記外部端子は、正極端子と負極端子とからなり、
前記外装体は、外方に向かって膨出する一対の膨出部と、各膨出部の近傍に形成され、外方に向かって突出する突起とをそれぞれ形成され、
前記外部端子と前記外装体の間に介在する本体と、本体からそれぞれ延び、前記外装体の突起が挿通する挿通孔を形成された突出部とを有するパッキンを、さらに備え、
前記突起は、前記突出部の挿通孔に挿通された後、前記外装体に対してかしめ接合されていることを特徴とする蓄電素子。
【請求項９】
前記外装体の膨出部は、正極側と負極側とで形状が相違することを特徴とする請求項８に記載の蓄電素子。
【発明の詳細な説明】
【技術分野】
【０００１】
本発明は、非電解質二次電池等の電池を含む蓄電素子に関する。
【背景技術】
【０００２】
非水電解質二次電池等の電池では、電池容器内に収容された電極体の正極と負極は正負の集電体を介して正負の外部端子に電気的に接続されている。電池容器の上端開口を封止する蓋体の上面（外面）には、外部端子の少なくとも一部が配置されている。外部端子と蓋体の上面との間には絶縁のための上パッキンが介在している【０００３】
特許文献１に開示された電池では、上パッキンのうち外部端子が配置されている部分とは異なる部分（突出部）に蓋体の上面から上向きに突出する突起を貫通させ、蓋体の上面に対して上パッキンの回転を防止している。
【先行技術文献】
【特許文献】
【０００４】
【特許文献１】特開２００９−２８３３３５号公報
【発明の概要】
【発明が解決しようとする課題】
【０００５】
特許文献１に記載の上パッキンが備える突出部は単なる板状である。かかる板状の突出部を設けることは、上パッキンの軽量化や上パッキンの製造に要する材料節減の要請に反する。また、確実な回り止め及び、製造時に上パッキンが蓋体から外れるのを防ぐために突起の先端を押し広げて蓋体に対して突出部をかしめ接合する場合、単なる板状の突出部では厚み方向の圧縮に対する面方向の変形（逃げ）の余地が少ない。そのため、かしめ接合時に突出部に割れ等の損傷が生じるおそれがある。換言すれば、単なる板状の突出部はかしめ接合に適さない。【０００６】
本発明は、軽量化と材料節減を図りつつパッキンの蓋体に対する回転を確実に防止することを課題とする。
【課題を解決するための手段】
【０００７】
本発明の第１の態様は、
外装体と、外装体から外部に露出する露出面を有する外部端子と、外装体の内部に配置され、外部端子に接続される集電体と、外装体の内部に配置され、集電体に接続される電極体と、を備えた蓄電素子であって、
前記外装体は、外方に向かって突出する複数の突起を備え、
前記外部端子と前記外装体の間に介在する本体と、本体からそれぞれ延び、前記外装体の各突起が挿通する挿通孔を形成された複数の突出部とを有するパッキンを、さらに備え、
前記各突起は、前記各突出部の挿通孔にそれぞれ挿通された後、前記外装体に対してかしめ接合されている構成としたものである。【０００８】
前記パッキンは、本体と、そこからそれぞれ延びる複数の突出部とを備えた構成であり、各突出部の挿通孔に突起を挿通し、外装体に対してかしめ接合するようにしている。つまり、かしめ接合に必要な箇所として突出部を形成しただけの構成であるので、パッキンの軽量化とその製造に要する材料低減を図ることができる。また、複数の突出部は、別々に本体から延びているので、突起によるかしめ接合時に個々の突出部の厚み方向の圧縮に対する面方向の変形（逃げ）の余地を確保でき、かしめ接合時のパッキンの割れ等の損傷を確実に防止できる。この結果、突出部を蓋体に対して確実にかしめ接合できるため、パッキンの外装体に対する回転を確実に防止でき、製造時にパッキンが外装体から外れることも確実に防止できる。【０００９】
前記パッキンの突出部は、間隔を空けて隣接して配置される複数で構成され、
前記外装体の突起は、前記各突出部に配置可能な複数で構成するようにしてもよい。【００１０】
前記パッキンの突出部は、本体を挟んで少なくとも１つが反対側に配置される複数で構成され、
前記外装体の突起は、前記各突出部に配置可能な複数で構成するようにしてもよい。【００１１】
前記外装体の突起は、外装体に別部材を一体化してもよい。【００１２】
前記外装体の突起は、外装体の一部を突出させてなる構成であってもよい。この場合、突起は、プレス加工等により簡単かつ安価に形成することができる。【００１３】
前記外部端子は、正極端子と負極端子とからなり、
前記外装体の突起は、正極側と負極側とで形状を相違させ、
前記正極側と前記負極側とにそれぞれ配置されるパッキンの突出部に形成した挿通孔は、対応する各極性の突起のみが挿通可能な形状であるのが好ましい。【００１４】
前記外部端子は、正極端子と負極端子とからなり、
前記外装体の突起は、正極側と負極側とで位置をずらせるようにしてもよい。【００１５】
前記構成によれば、正極側と負極側とでパッキン及び外部端子の装着間違いを確実に防止することができる。【００１６】
また、本発明の第２の態様は、
外装体と、外装体から外部に露出する露出面を有する外部端子と、外装体の内部に配置され、外部端子に接続される集電体と、外装体の内部に配置され、集電体に接続される電極体と、を備えた蓄電素子であって、
前記外部端子は、正極端子と負極端子とからなり、
前記外装体は、外方に向かって膨出する一対の膨出部と、各膨出部の近傍に形成され、外方に向かって突出する突起とをそれぞれ形成され、
前記外部端子と前記外装体の間に介在する本体と、本体からそれぞれ延び、前記外装体の突起が挿通する挿通孔を形成された突出部とを有するパッキンを、さらに備え、
前記突起は、前記突出部の挿通孔に挿通された後、前記外装体に対してかしめ接合されている構成としたものである。【００１７】
前記外装体の膨出部は、正極側と負極側とで形状が相違するのが好ましい。【００１８】
この構成によれば、正極側と負極側とでパッキン及び外部端子の装着間違いを確実に防止することができる。
【発明の効果】
【００１９】
本発明によれば、パッキンを、本体と、そこからそれぞれ延びる複数の突出部とを備えた構成とし、各突出部の挿通孔に突起を挿通し、外装体に対してかしめ接合するようにしたので、パッキンの軽量化とその製造に要する材料低減を図りつつ、パッキンの外装体に対する回転を確実に防止でき、製造時にパッキンが外装体から外れることも確実に防止できる。
【図面の簡単な説明】
【００２０】
【図１】本発明の実施形態に係る電池の平面図である。
【図２】本発明の実施形態に係る電池の縦断面図である。
【図３】図２の部分IIIの拡大図である。
【図４】図２の部分IVの拡大図である。
【図５】蓋体を上方から見た斜視図である。
【図６】蓋体の分解斜視図である。
【図７】本発明の他の実施形態に係る電池の正極側での上パッキンに於ける平面図である。
【図８】本発明のさらに他の実施形態に係る電池の正極側での上パッキンに於ける平面図である。
【図９】本発明のさらに他の実施形態に係る電池の平面図である。
【図１０】本発明のさらに他の実施形態に係る電池の正極側での上パッキンに於ける平面図である。
【図１１】本発明のさらに他の実施形態に係る電池の平面図である。
【図１２】本発明のさらに他の実施形態に係る電池の平面図である。
【図１３】本発明のさらに他の実施形態に係る電池の平面図である。
【発明を実施するための形態】
【００２１】
以下、添付図面を参照して本発明の実施形態を詳細に説明する。
【００２２】
図１及び図２は、本発明の実施形態に係る非水電解質二次電池１（以下、単に電池という）を示す。この電池１は、アルミニウムやアルミニウム合金等で構成された直方体状の電池容器２内に電極体３を収容し、電池容器２の上端開口を蓋体４で封止したものである。電池容器２と蓋体４により概ね直方体状の外装体が構成されている。蓋体４の外部には負極外部端子１４と正極外部端子１５の上面が露出している。
【００２３】
電極体３は、銅箔からなる負極と、アルミニウム箔からなる正極との間に、多孔性の樹脂フィルムからなるセパレータを配置して巻回したものである。電極体３は、負極が負極集電体１２を介して負極外部端子１４に電気的に接続され、正極が正極集電体１３を介して正極外部端子１５に電気的に接続されている。
【００２４】
図３から図６を併せて参照すると、蓋体４は、平面視矩形状の長尺な金属製の板状で、長手方向の中央付近に安全弁８が装着され、一端側に注液孔９が設けられている。
【００２５】
蓋体４の両端部には、上面４ｂから上方に向かって膨出する平面視略矩形状の係合受部（膨出部）１１がそれぞれ形成されている。各係合受部１１では、蓋体４の下面４ａを窪ませて係合凹部１１ａが形成されている。係合凹部１１ａを構成する天井面の中心部分には貫通孔１１ｃが形成されている。また、係合受部１１の近傍には、その一辺（係合受部１１同士で対向する辺）に沿って所定間隔で、上面４ｂから突出する一対の突起４ｃがそれぞれ形成されている。係合受部１１、貫通孔１１ｃ及び突起４ｃは、プレス加工等により形成することができる。突起４ｃについては、従来であれば、別部材をスポット溶接する等によって形成していたが、プレス加工等により蓋体４と一体的に形成することで、部品点数が増大せず、簡単かつ安価に製作でき、しかも重量が増大することもない。但し、突起４ｃは、従来同様、別部材をスポット溶接する等により形成することも可能である。
【００２６】
図において左側の係合受部１１には、負極集電体１２及び負極外部端子１４が上パッキン１６と負極下パッキン１７を介してそれぞれ取り付けられている。
【００２７】
上パッキン１６は、隔壁１６ａによって、上方側の端子保持凹部１６ｂと、下方側の装着用凹部１６ｃとを区画した樹脂製の部品であり、隔壁１６ａの中央部分には下方側に延びる両端開口の筒状部１６ｄが設けられている。隔壁１６ａ、端子保持部１６ｂ、装着用凹部１６ｃ、及び筒状部１６ｄは、本発明における上パッキン１６の本体を構成する。上パッキン１６は、係合受部１１の上から被せ、装着用凹部１６ｃ内に係合受部１１を収容することで蓋体４に装着される。筒状部１６ｄは貫通孔１１ｃに挿通されて係止凹部１１ａ内に進入している。
【００２８】
負極下パッキン１７は、蓋体４の係合凹部１１ａ内に配置される被かしめ部１７ａと、この被カシメ部１７ａに連続して設けられた平坦部１７ｂとを備える。被カシメ部１７ａには貫通孔１７ｃが形成されている。この貫通孔１７ｃには上パッキン１６の筒状部１６ｄの下端付近が差し込まれている。
【００２９】
負極外部端子１４は、平面視矩形状のアルミニウム製の板状体２１と、銅製のリベット２２とを備える。リベット２２は、顎部２２ａを板状体２１の中央部分に形成した貫通孔２１ａに圧入することで、軸部２２ｂが突出した状態で板状部２１に固定される。板状体２１は上パッキン１６の端子保持凹部１６ｂに収容される。
【００３０】
銅製の板材をプレス加工して製造される負極集電体１２は、基部１２ａと、一対の脚部１２ｂ，１２ｂとを備える。基部１２ａのうち貫通孔１２ｃが形成されている部分は、係合凹部１１ａ内に収容されて負極下パッキン１７の被かしめ部１７ａの下側に重ねて配置される。貫通孔１２ｃには負極外部端子１４のリベット２２の軸部２２ｂが挿通される。脚部１２ｂ，１２ｂは台座部３４から延びて、図１にのみ模式的に示すクリップ１０により電極体３の負極５に電気的に接続され、かつ機械的に連結されている。
【００３１】
負極外部端子１４のリベット２２の軸部２２ｂを上パッキン１６の筒状部１６ｄ及び負極集電体１２の貫通孔１２ｃを挿通させた後に、先端を押し広げてかしめ頭部２２ｃを形成することで、負極外部端子２８、上パッキン１６、負極下パッキン１７、及び負極集電体１２の被かしめ部３３が蓋体４に対してかしめ接合されている。また、負極集電体１２の基部１２ａはリベット２２を介して負極外部端子１４の板状体２１に電気的に接続されている。
【００３２】
図において右側の係合受部１１及びガイド凹部１１ｂには、正極集電体１３及び正極外部端子１５が上パッキン１６及び正極下パッキン１８を介してそれぞれ取り付けられている。
【００３３】
負極側と同様に上パッキン１６が係合受部１１に装着されている。一方、正極側下パッキン１８は貫通孔１８ａを設けた平板状であり、係合凹部１１ａ内に配置される。
【００３４】
正極外部端子１５はアルミニウム製で、平面視矩形状の板状体１５ａと、その下面中央部から突出する筒状の軸部１５ｂとを備える。板状体１５ａは上パッキン１６の端子保持凹部１６ｂに収容される。
【００３５】
アルミニウム製の板材をプレス加工して製造される正極集電体１３は、負極集電体１２と同様の構造を有する。正極集電体１３の基部１３ａのうち貫通孔１３ｃを設けた部分は、係合凹部１１ａ内に収容されて正極下パッキン１８に重ねて配置される。正極集電体１３の脚部１３ｂ，１３ｂは図１にのみ模式的に示すクリップ１０により電極体３の正極６に対して電気的に接続され、かつ機械的に連結されている。
【００３６】
正極外部端子１５の軸部１５ｂを上パッキン１６の筒状部１６ｄ及び正極集電体１３の貫通孔１３ｃを挿通させた後に、先端を押し広げてかしめ頭部１５ｃを形成することで、正極外部端子２８、上パッキン１６、正極下パッキン１８、及び正極集電体１３の被かしめ部３３が蓋体４に対してかしめ接合されている。正極集電体１３の基部１３ａは軸部１５ｂの部分に直接接触することで正極外部端子１５に電気的に接続されている。
【００３７】
以下、負極側及び正極側の上パッキン１６が蓋体４の上面４ｂ上で軸部１５ｂ，２２ｂで回転するのを防止する回り止め構造について説明する。上パッキン１６の側壁には下端開口の付近から蓋体４の上面４ｂに沿って延びる２個の舌状片（突出部）１６ｅ，１６ｅが設けられている。これらの舌状部１６ｅは間隔ｔを隔てて隣接して設けられている。個々の舌状片１６ｅには厚み方向に貫通する挿通孔１６ｆが形成されている。この挿通孔１６ｆには、蓋体４の上面４ｂから突出する突起４ｃが挿入されている。舌状片１６ｅの上面から突出している突起４ｃの先端を押し広げてかしめ頭部を形成することで、上パッキン１６の舌状部１６ｅが蓋体４に対してかしめ接合されている。
【００３８】
上パッキン１６の蓋体４に対する回り止めは、上パッキン１６に例えば単一の大きな板状部を設けて複数個所を蓋体４に対してかしめ接合するのではなく、間隔ｔをあけて隣接する２個の舌状片１６ｅを設けて個々に蓋体４に対してかしめ接合している。このように回り止めのために単一の大きな板状部を設けるのでなく間隔ｔをあけて隣接する舌状片１６ｅを設けることで、上パッキン１６の軽量化とその製造に要する材料低減を図ることができる。
【００３９】
２個の舌状片１６ｅ間には間隔ｔが設けられているので、突起４ｃによるかしめ接合時に個々の舌状片１６ｅの厚み方向の圧縮に対する面方向の変形（逃げ）の余地を確保できる（図１において矢印Ａで変形し得る方向を概念的に示す）。この面方向の変形の余地確保により、かしめ接合時の上パッキン１６の割れ等の損傷を確実に防止できる。その結果、舌状片１６ｅを蓋体４に対して確実にかしめ接合でき、上パッキン１６の蓋体４に対する回転を確実に防止できる。また、舌状片１６ｅを蓋体４に対して確実にかしめ接合することで、製造時に上パッキン１６が蓋体４から外れることも確実に防止できる。
【００４０】
以上のように、間隔ｔをあけて隣接する２個の舌状片１６ｅを設けて個々に蓋体４に対してかしめ接合するという簡易な構成により、上パッキン１６の軽量化とその製造に要する材料低減を図りつつ、上パッキン１６の蓋体４に対する回転を確実に防止できる。
【００４１】
なお、本発明は、前記実施形態に記載された構成に限定されるものではなく、種々の変更が可能である。
【００４２】
例えば、前記実施形態では、上パッキン１６は、概ね四角柱状の側壁の１つから２個の舌状片１６ｅを形成したが、間隔をあけて設けられている限り３個以上の舌状片１６ｅを設けるようにしてもよい（図７では３個）。間隔は自由に設定することができ、その間隔は相違させることも可能である。複数の舌状片１６ｅをどのように配置するかも特に限定されない。必ずしも、一側壁からのみ突出させる必要はなく、例えば、図８に示すように、反対側の側壁から突出させるようにしてもよい。図８では、各舌状片１６ｅを対角位置に配置することで、回止効果をより一層有効に発揮させるようにしている。
【００４３】
また、前記実施形態では、突出部としての舌状片１６ｅは概ね正方形状としたが、重宝形状や楕円形状等、異なる形状の突出部を採用することもできる。
【００４４】
また、前記実施形態では、蓋体４に外部端子１４，１５を設けるようにしたが、蓋体４ではなく電池容器２に外部端子１４，１５を設けることもできる。
【００４５】
また、前記実施形態では、上パッキン１６の回止めを、一対の舌状片（突出部）１６ｅ，１６ｅに各突起４ｃをかしめ接合することにより行ったが、図９に示すように、舌状片１６ｅを１つとし、係合受部１１に係合する装着用凹部１６ｃに回止効果を持たせるようにしてもよい。
【００４６】
また、前記実施形態では、突起４ｃの断面形状（大きさも含む）を正極側と負極側とで同一形状としたが、相違させるようにするのが好ましい。例えば、図１０に示すように、正極側と負極側とで突起４ｃの断面形状を正方形と円形に相違させ（図１０では、突起４ｃの上端部がかしめられて円形に変形した状態となっている。点線部分が元の形状であり、挿通孔１６ｆの形状である。）、上パッキン１６の舌状片１６ｅには、この形状に応じた断面形状の挿通孔１６ｆを形成するようにすればよい。これによれば、正極側と負極側とで上パッキン１６及び外部端子１４，１５を間違えて装着することを確実に防止することができる。
【００４７】
また、正極側と負極側とで突起４ｃの断面形状を相違させる代わりに、突起４ｃの形成位置を相違させて（ずらせて）対応することも可能である。例えば、図１１に示すように、正極側と負極側とで、蓋体４の幅方向中心線に対する突起４ｃのズレ量を相違させてもよい。また、図１２に示すように、突起４ｃの形成位置を、係合受部１１を挟んで両側とし、幅方向の位置を正極側と負極側とで相違させるようにしてもよい。そして、前記各突起４ｃの形成位置に合わせて上パッキン１６の舌状片１６ｅの形成位置を変更することにより正極側と負極側とで上パッキン１６の装着間違いがないようにすればよい。
【００４８】
また、正極側と負極側とで突起４ｃの断面形状を相違させる代わりに、正極側と負極側とで、蓋体４の正極側と負極側の係合受部１１の形状を相違させ、それぞれに装着する各上パッキン１６の装着用凹部１６ｃの形状をこれに合わせた形状としてもよい。例えば、図１３に示すように、前記実施形態では、各係合受部１１は同一の平面視略矩形状としたが、一方の係合受部１１の一端側を平面視略円弧状とし、上パッキン１６の装着用凹部１６ｃをその形状に応じたものとすればよい。
【００４９】
また、前記実施形態では、上パッキン１６の構成について説明したが、外部端子１４，１５と電池容器２の間に介在する下パッキンにも採用することが可能である。
【符号の説明】
【００５０】
１  非水電解質二次電池
２  電池容器
３  電極体
４  蓋体
４ａ  下面
４ｂ  上面
４ｃ  突起
８  安全弁
９  注液孔
１０  クリップ
１１  係合受部
１１ａ  係合凹部
１１ｂ  貫通孔
１２  負極集電体
１２ａ  基部
１２ｂ  脚部
１２ｃ  貫通孔
１３  正極集電体
１３ａ  基部
１３ｂ  脚部
１３ｃ  貫通孔
１４  負極外部端子
１５  正極外部端子
１５ａ  板状体
１５ｂ  軸部
１５ｃ  カシメ頭部
１６  上パッキン
１６ａ  隔壁
１６ｂ  端子保持凹部
１６ｃ  装着用凹部
１６ｄ  筒状部
１６ｅ  舌状部
１６ｆ  挿通孔
１７  負極下パッキン
１７ａ  被カシメ部
１７ｂ  平坦部
１７ｃ  貫通孔
１８  正極下パッキン
１８ａ  貫通孔
２１  板状体
２１ａ  貫通孔
２２  リベット
２２ａ  顎部
２２ｂ  軸部
２２ｃ  カシメ頭部
ｔ  間隔
【図１】
2012105491.tif 000003
【図２】
2012105491.tif 000004
【図３】
2012105491.tif 000005
【図４】
2012105491.tif 000006
【図５】
2012105491.tif 000007
【図６】
2012105491.tif 000008
【図７】
2012105491.tif 000009
【図８】
2012105491.tif 000010
【図９】
2012105491.tif 000011
【図１０】
2012105491.tif 000012
【図１１】
2012105491.tif 000013
【図１２】
2012105491.tif 000014
【図１３】
2012105491.tif 000015
【手続補正書】
【提出日】平成25年6月20日(2013.6.20)
【手続補正１】
【補正対象書類名】明細書
【補正対象項目名】００１５
【補正方法】変更
【補正の内容】
【００１５】
前記構成によれば、正極側と負極側とでパッキン及び外部端子の装着間違いを確実に防止することができる。
前記突出部は、前記本体の側壁の下端付近から前記外装体に沿って延びる舌状片であり、前記舌状片は、平面視における幅が前記側壁の幅よりも狭いものであってもよい。
【手続補正２】
【補正対象書類名】明細書
【補正対象項目名】００１８
【補正方法】変更
【補正の内容】
【００１８】
この構成によれば、正極側と負極側とでパッキン及び外部端子の装着間違いを確実に防止することができる。
前記突出部は、前記本体の側壁の下端付近から前記外装体に沿って延びる舌状片であり、前記舌状片は、平面視における幅が前記側壁の幅よりも狭いものであってもよい。
【手続補正３】
【補正対象書類名】特許請求の範囲
【補正対象項目名】全文
【補正方法】変更
【補正の内容】
【特許請求の範囲】
【請求項１】
外装体と、外装体から外部に露出する露出面を有する外部端子と、外装体の内部に配置され、外部端子に接続される集電体と、外装体の内部に配置され、集電体に接続される電極体と、を備えた蓄電素子であって、
前記外装体は、外方に向かって突出する複数の突起を備え、
前記外部端子と前記外装体の間に介在する本体と、本体からそれぞれ延び、前記外装体の各突起が挿通する挿通孔を形成された複数の突出部とを有するパッキンを、さらに備え、
前記各突起は、前記各突出部の挿通孔にそれぞれ挿通された後、前記外装体に対してかしめ接合されていることを特徴とする蓄電素子。
【請求項２】
前記パッキンの突出部は、間隔を空けて隣接して配置される複数で構成され、
前記外装体の突起は、前記各突出部に配置可能な複数で構成したことを特徴とする請求項１に記載の蓄電素子。
【請求項３】
前記パッキンの突出部は、本体を挟んで少なくとも１つが反対側に配置される複数で構成され、
前記外装体の突起は、前記各突出部に配置可能な複数で構成したことを特徴とする請求項１に記載の蓄電素子。
【請求項４】
前記外装体の突起は、外装体に別部材を一体化したものであることを特徴とする請求項１から３のいずれか１項に記載の蓄電素子。
【請求項５】
前記外装体の突起は、外装体の一部を突出させてなる構成であることを特徴とする請求項１から３のいずれか１項に記載の蓄電素子。
【請求項６】
前記外部端子は、正極端子と負極端子とからなり、
前記外装体の突起は、正極側と負極側とで形状を相違させ、
前記正極側と前記負極側とにそれぞれ配置されるパッキンの突出部に形成した挿通孔は、対応する各極性の突起のみが挿通可能な形状であることを特徴とする請求項１から５のいずれか１項に記載の蓄電素子。
【請求項７】
前記外部端子は、正極端子と負極端子とからなり、
前記外装体の突起は、正極側と負極側とで位置をずらせたことを特徴とする請求項１から５のいずれか１項に記載の蓄電素子。
【請求項８】
前記突出部は、前記本体の側壁の下端付近から前記外装体に沿って延びる舌状片であり、
前記舌状片は、平面視における幅が前記側壁の幅よりも狭いことを特徴とする請求項１から請求項７のいずれか１項に記載の蓄電素子。
【請求項９】
外装体と、外装体から外部に露出する露出面を有する外部端子と、外装体の内部に配置され、外部端子に接続される集電体と、外装体の内部に配置され、集電体に接続される電極体と、を備えた蓄電素子であって、
前記外部端子は、正極端子と負極端子とからなり、
前記外装体は、外方に向かって膨出する一対の膨出部と、各膨出部の近傍に形成され、外方に向かって突出する突起とをそれぞれ形成され、
前記外部端子と前記外装体の間に介在する本体と、本体からそれぞれ延び、前記外装体の突起が挿通する挿通孔を形成された突出部とを有するパッキンを、さらに備え、
前記突起は、前記突出部の挿通孔に挿通された後、前記外装体に対してかしめ接合されていることを特徴とする蓄電素子。
【請求項１０】
前記外装体の膨出部は、正極側と負極側とで形状が相違することを特徴とする請求項９に記載の蓄電素子。
【請求項１１】
前記突出部は、前記本体の側壁の下端付近から前記外装体に沿って延びる舌状片であり、
前記舌状片は、平面視における幅が前記側壁の幅よりも狭いことを特徴とする請求項１０項に記載の蓄電素子。
【国際調査報告】
2012105491.tif 000016
2012105491.tif 000017